(57)【要約】      （修正有）【課題】新たな光の芸術性が得られる観賞物およびその展示室を提供する。【解決手段】観賞物１は、外観の形状を扁平され、扁平された方向に位置する面を光出射面２ａとする形状の発光装置２を有する。そして、発光装置２の光出射面２ａの側に配置される、光透過性の模様が施される塗装部３を有する。第１の展示室は、観賞物が展示される第１空間を有する。なお、第１の展示室は、この第１空間内を照明する照明装置を有する。そしてこの照明装置の照明特性が、照明制御装置によって制御される。【選択図】図３
2018072700.tif 000002
【特許請求の範囲】
【請求項１】
外観の形状を扁平され、前記扁平された方向に位置する面を光出射面とする形状の発光装置と、
前記発光装置の前記光出射面の側に配置される、光透過性の塗料により形成される塗装部と、を有することを特徴とする観賞物。
【請求項２】
請求項１に記載の観賞物において、
前記発光装置の光出射面側の周縁を覆う枠体を有することを特徴とする観賞物。
【請求項３】
請求項１または２に記載の観賞物において、
前記塗装部の表面はマット処理が施されている、
ことを特徴とする観賞物。
【請求項４】
請求項１から３のいずれか１項に記載の観賞物において、
前記発光装置は、それ全体が一体の構成である、
ことを特徴とする観賞物。
【請求項５】
請求項４に記載の観賞物において、
前記塗料は、前記発光装置の光出射面に塗布されている、
ことを特徴とする観賞物。
【請求項６】
請求項１から４のいずれか１項に記載の観賞物において、
前記塗装部は、前記塗料が塗布される板体を有する、
ことを特徴とする観賞物。
【請求項７】
請求項２から６のいずれか１項に記載の観賞物において、
前記枠体と前記模様部との間に遮光部材が配置されている、
ことを特徴とする観賞物。
【請求項８】
請求項１から７のいずれか１項に記載の観賞物において、
前記発光装置の発光特性を制御する光制御装置を備える、
ことを特徴とする観賞物。
【請求項９】
請求項１から８のいずれか１項に記載の観賞物において、
複数の前記発光装置を有し、
個別の前記発光装置の発光特性を個別に制御する発光制御装置を備える、
ことを特徴とする観賞物。
【請求項１０】
請求項１から９のいずれか１項に記載の観賞物において、
前記塗装部は、前記塗装の厚さが少なくとも２箇所において互いに異なる部分を有する、こと
【請求項１１】
請求項１から１０のいずれか１項に記載の観賞物が展示される第１空間と、
この第１空間内を照明する照明装置と、を有し、
この照明装置の照明特性が、照明制御装置によって制御されることを特徴とする展示室。
【請求項１２】
請求項１１に記載の展示室において、
前記展示室の壁面、床面、および天井面の少なくとも一面から前記展示室の外側に向かって突出した第２空間を形成し、この第２空間内に前記観賞物を設置し、前記第２空間全域の明るさを前記観賞物の前記模様部の明るさよりも暗くする、
ことを特徴とする展示室。
【請求項１３】
請求項１２に記載の展示室において、
前記第２空間を人間が立った姿勢で入ることができる大きさとする、
ことを特徴とする展示室。
【請求項１４】
請求項１２または１３に記載の展示室において、
前記第２空間内の側面は同一色であり、前記第２空間の隅部は曲面である、
ことを特徴とする展示室。
【請求項１５】
請求項１から９のいずれか１項に記載の観賞物を暗闇に展示することを特徴とする展示室。
【発明の詳細な説明】
【技術分野】
【０００１】
本発明は、観賞物およびその展示室に関する。
【背景技術】
【０００２】
光を用いて観者を楽しませる、いわゆる光の芸術と言われる芸術分野がある。従来の光の芸術は、花火、レーザービームアート、イルミネーション等である。
【先行技術文献】
【特許文献】
【０００３】
【特許文献１】特開２０１４−１５００４９号公報
【発明の概要】
【発明が解決しようとする課題】
【０００４】
しかしながら、光の芸術はもっと多様なものがあって良いと考えられる。そこで本発明の目的は、新たな光の芸術性が得られる観賞物およびその展示室を提供することである。
【課題を解決するための手段】
【０００５】
上記目的を達成するため、本発明の観賞物は、外観の形状を扁平され、扁平された方向に位置する面を光出射面とする形状の発光装置と、発光装置の光出射面の側に配置される、光透過性の塗料により形成される塗装部と、を有することを特徴とする。
【０００６】
ここで、本発明の観賞物は、発光装置の光出射面側の周縁を覆う枠体を有することとしてもよい。
【０００７】
ここで、塗装部の表面はマット処理が施されている、こととしても良い。
【０００８】
また、発光装置は、それ全体が一体の構成である、こととしても良い。
【０００９】
また、塗料は、発光装置の光出射面に塗布されている、こととしても良い。
【００１０】
また、塗装部は、塗料が塗布される板体を有することとしても良い。
【００１１】
また、枠体と塗装部との間に遮光部材が配置されている、こととしても良い。
【００１２】
また、発光装置の発光特性を制御する光制御装置を備える、こととしても良い。
【００１３】
複数の発光装置を有し、個別の発光装置の発光特性を個別に制御する発光制御装置を備える、こととしても良い。
【００１４】
塗装部は、塗装の厚さが少なくとも２箇所において互いに異なる部分を有する、こととしても良い。
【００１５】
上記目的を達成するため、本発明の展示室は、前記いずれかの観賞物が展示される第１空間と、この第１空間内を照明する照明装置と、を有し、この照明装置の照明特性が、照明制御装置によって制御されることを特徴とする。
【００１６】
ここで、展示室の壁面、床面、および天井面の少なくとも一面から展示室の外側に向かって突出した第２空間を形成し、この第２空間内に観賞物を設置し、第２空間全域の明るさを観賞物の塗装部の明るさよりも暗くする、こととしても良い。
【００１７】
また、第２空間を人間が立った姿勢で入ることができる大きさとする、こととしても良い。
【００１８】
第２空間内の側面は同一色であり、第２空間の隅部は曲面である、こととしても良い。
【００１９】
上記目的を達成するため、上述の展示物を暗闇に展示することを特徴とする。
【発明の効果】
【００２０】
本発明では、新たな光の芸術性が得られる観賞物およびその展示室を提供することができる。
【図面の簡単な説明】
【００２１】
【図１】本発明の実施の形態に係る観賞物の斜視図である。
【図２】本発明の実施の形態に係る観賞物の分解斜視図である。
【図３】図１のＡ−Ａ断面図であり、発光装置を一体化するためのネジが無い部分の断面図である。
【図４】図１のＢ−Ｂ断面図であり、発光装置を一体化するためのネジが在る部分の断面図である。
【図５】単一真球粒子による散乱光強度の角度分布（Ａ、θ）を示すグラフである。
【図６】本発明の実施の形態に係る第１の展示室の中の様子を示す図である。
【図７】本発明の実施の形態に係る第２の展示室の中の様子を示す図である。
【図８】本発明の実施の形態に係る第１の変形例の観賞物を示す図である。
【図９】本発明の実施の形態に係る第２の変形例の観賞物を示す図である。
【図１０】本発明の実施の形態に係る第３の変形例の観賞物を示す図である。
【発明を実施するための形態】
【００２２】
以下、本発明の実施の形態に係る観賞物およびその展示室について、図面を参照しながら説明する。
【００２３】
（本発明の実施の形態に係る観賞物の構成）
図１は、本発明の実施の形態に係る観賞物の斜視図である。図２は、本発明の実施の形態に係る観賞物の分解斜視図である。図３は、図１のＡ−Ａ断面図であり、発光装置の光源が存在する部分の断面図である。図４は、図１のＢ−Ｂ断面図であり、発光装置の光源が存在しない部分の断面図である。以下の説明において、発光装置の光の出射方向を前方（前側）とし、その反対方向を後方（後側）として説明する。図において、矢示Ｘ１は前方（前側）を示し、矢示Ｘ２は後方（後側）を示す。
【００２４】
観賞物１は、外観の形状を扁平され、扁平された方向に位置する２面のうち一方の面を光出射面２ａとする形状の発光装置２を有する。そして、発光装置２の光出射面２ａの側に配置される、光透過性の塗料により形成される塗装部３を有する。そして、発光装置２の光出射面２ａ側の周縁を覆う枠体４を有する。
【００２５】
塗装部３は、光透過性の塗料として、例えば、光透過性のインクを光出射面２ａに塗布することで形成できる。塗装部３は、模様として、風景画、人物画、静物画等の絵画、図形あるいは文字等が表現される。塗装部３の表面はマット処理（ツヤ消し処理）が施されている。これまでの絵画は、絵画の表面に当たって反射する反射光を観察するものである。これに対し、観賞物１は、光透過性のある塗装部３を透過した光を観察することができるものである。塗装部３に光を透過させることで、塗装部３を、塗装の厚さや、塗装の層内の塗料の明度、彩度あるいは色彩が反映された状態で観察することができる。また、塗装部３を透過光により観察できるため、塗装部３に透明感を持たせることができる。
【００２６】
たとえば、塗装部３は油絵を模様として表現することができる。この場合、塗装部３の厚さ（塗料の層厚）を絵具の塗りの厚さに対応させ、この塗装部３を反射光により観察すると、塗装部３の厚さの違いを、絵具の塗りの厚さの違いとして観察できる。
【００２７】
これに対し、光透過性の塗料で塗装部３を形成し、塗装部３の厚さを絵具の塗り厚さに対応させ、塗装部３を透過光により観察する場合には、塗装部３の厚さの違いが、塗装部３を透過する光の明度、彩度あるいは色彩にも作用する。
【００２８】
つまり、塗装部３の厚さの違う部分を、絵具の塗りの厚さの違いに加えて、明度、彩度および色彩の少なくとも１つについても違わせることができ、塗装部３の表現を多様なものにすることができる。
【００２９】
このように、観賞物１は、これまでの反射光を観察する場合とは異なる新たな光の芸術性を付与されたものとして観賞することができる。なお、透光性の塗料としては、溶質として、顔料または染料の他に、例えば、超微粒子（例えば、直径０．１μｍ程度）の酸化チタン、あるいは光透過性のあるシリコン粒子（例えば、直径０．５μｍ程度）等の光透過性あるいは光反射性の高い微粒子を所定量含む塗料を用いることができる。また、透明なクリアー塗料に、溶質として顔料あるいは染料を混ぜた塗料を用いることができる。
【００３０】
図２、図３および図４に示すように、発光装置２は板状の部材を複数有している。その板状の部材は、導光板５と、導光板５に隣接し導光板５よりも光出射面２ａ側に配置され導光板５が発する光を拡散する拡散板６と、導光板５を挟んで拡散板６の反対側に配置される反射シート７と、反射シート７を挟んで導光板５とは反対側に配置される補強板８と、補強板８を挟んで反射シート７とは反対側に配置されるケース９である。光出射面２ａは、拡散板６の面であって、導光板５が配置される側の面とは反対側の面である。
【００３１】
また、発光装置２は、導光板５の端面５ａに向かって白色光を射出する複数のＬＥＤ（light emitting diode）を有する光源１０（図３参照）と、光源１０が実装される基板１１とを備えている。光源１０および基板１１も発光装置２の構成要素である。
【００３２】
ここで、発光装置２は、導光板５と拡散板６と反射シート７と補強板８とケース９をネジ１２を用いて、一体の構成としている。導光板５と拡散板６と反射シート７と補強板８とケース９には、それぞれネジ穴５ｂ，６ａ，７ａ，８ａ，９ｃが形成されている。ネジ穴５ｂ，７ａ，８ａ，９ｃは、ネジ１２を遊挿するネジ穴である。ネジ穴６ａは貫通しないネジ穴であり、ネジ１２の先端部と螺号する。
【００３３】
枠体４は、たとえば、木材からなり、Ａ−Ａ断面およびＢ−Ｂ断面が縁部４ａと外周部４ｂからなるＬ字状とされる枠状体である。枠体４は、発光装置２と塗装部３とを保持する。枠体４の後端縁には、枠内に保持した発光装置２を後方に脱落しないようにする係合具（図示省略）が備えられている。枠体４には、彫刻あるいは加飾等の装飾を施すことが好ましい。枠体４に装飾が施されることで、塗装部３と相俟って、観賞物１の光の芸術性が高められる。
【００３４】
導光板５は、アクリル樹脂からなる長方形の板状の部材である。導光板５の端面５ａは、凸凹の形状をしている（図２，図３，図４参照）。光源１０は、凹部に対応させて配置される。
【００３５】
拡散板６については後述する。反射シート７は、導光板５の後側の面全体に接触するように配置される。導光板５から後方に抜ける光を前方に向けて反射させる。
【００３６】
補強板８は長方形のアルミニウム等の金属からなる板状部材である。ケース９はアルミニウム等の金属からなる周縁全域に内側壁面９ｂを有する底の浅い容器状の部材である。また、ケース９には導光板５、反射シート７、補強板８、光源１０および基板１１が収容される。光源１０および基板１１は、導光板５の端面５ａとケース９の内側壁面９ｂとの間に配置されている。
【００３７】
光源１０は、導光板５の周縁全周に亘って、略等間隔に配置されている。光源１０は、長尺物である基板１１に実装されている。そして基板１１には個々の光源１０に給電するための回路が印刷されている。なお図示を省略しているが、発光装置２には個々の光源１０の発光特性（光量および色温度の少なくとも１つ）を基板１１を介して制御する発光制御装置が設けられている。
【００３８】
ここで長方形の板状の拡散板６について詳述する。図５は、単一真球粒子による散乱光強度の角度分布（Ａ、θ）を示すグラフである。
【００３９】
長方形の板状の拡散板６は、光透過率の高いアクリル系樹脂またはポリカーボネイトによって形成されている。また、拡散板６は、球形粒子である光散乱粒子が多数含有された光散乱導光体である。具体的には、拡散板６は、体積的に一様な散乱能が与えられた光散乱導光体であり、拡散板６に入射した光は、拡散板６の中で光散乱粒子によって散乱する。そのため、本形態では、光射出面２ａの輝度分布を均一化することが可能となっている。拡散板６に含有される光散乱粒子は、たとえば、シリコーン粒子によって形成されている。この光散乱粒子は、たとえば、平均自由行程０．１ｍｍ以下となる濃度で拡散板６に含有されている。
【００４０】
ここで、光散乱粒子（シリコーン粒子）の理論的な基礎を与えるＭｉｅ散乱理論について説明する。Ｍｉｅ散乱理論は、一様な屈折率を有する媒体（マトリックス）中にこの媒体と異なる屈折率を有する球形粒子（光散乱粒子）が存在するケースについてマックスウェルの電磁方程式の解を求めたものである。光散乱粒子によって散乱した散乱光の角度に依存した強度分布Ｉ（Ａ、θ）は下記（１）式で表される。Ａは、光散乱粒子の光学的大きさを示すサイズパラメータであり、マトリックス中での光の波長λで規格化された球形粒子（光散乱粒子）の半径ｒに相当する量である。角度θは散乱角で、入射光の進行方向と同一方向をθ＝０°にとる。
【数１】
2018072700.tif 000003
【００４１】
また、（１）式中のｉ１、ｉ２は（４）式で表される。そして、（２）〜（４）式中の下添字「ν」付のａおよびｂは（５）式で表される。上添字「１」および下添字「ν」を付したＰ（ｃｏｓθ）は、Ｌｅｇｅｎｄｒｅの多項式、下添字「ν」付のａ、ｂは、１次、２次のＲｅｃａｔｔｉ−Ｂｅｓｓｅｌ関数Ψ＊、ζ＊（ただし、「＊」は下添字「ν」を意味する。）とその導関数とからなる。ｍはマトリックスを基準にした光散乱粒子の相対屈折率で、ｍ＝ｎｓｃａｔｔｅｒ／ｎｍａｔｒｉｘである。なお、ｍはマトリックスを基準にした光散乱粒子の相対屈折率であり、マトリックスの屈折率ｎｍａｔｒｉｘおよび光散乱粒子の屈折率ｎｓｃａｔｔｅｒとｍ＝ｎｓｃａｔｔｅｒ／ｎｍａｔｒｉｘの関係にある。
【数２】
2018072700.tif 000004
2018072700.tif 000005
2018072700.tif 000006
2018072700.tif 000007
【００４２】
図５は、上記（１）〜（５）式に基づいて、単一真球粒子による強度分布Ｉ（Ａ、θ）を示すグラフである。図５では、原点Ｏの位置に光散乱粒子としての真球粒子があり、図５における下方から入射光が入射した場合の散乱光強度の角度分布Ｉ（Ａ、θ）を示している。原点Ｏから各曲線までの距離が、それぞれの散乱角方向の散乱光強度である。ひとつの曲線はＡが１．７であるときの散乱光強度、別の曲線はＡが１１．５であるときの散乱光強度、さらに別の曲線はＡが６９．２であるときの散乱光強度である。なお、図５においては、散乱光強度を対数目盛で示している。そのため、図５では僅かな強度差として見える部分が、実際には非常に大きな差となっている。
【００４３】
図５に示すように、サイズパラメータＡが大きくなればなるほど（ある波長λで考えた場合は真球粒子の粒径が大きくなればなるほど）、図５における上方（照射方向の前方）に対して指向性が高く光が散乱されていることがわかる。また、実際のところ、散乱光強度の角度分布Ｉ（Ａ、θ）は、入射光波長λを固定すれば、散乱子の半径ｒと、媒体および光散乱粒子の相対屈折率ｍとをパラメータとして制御することができる。
【００４４】
このような、単一真球粒子がＮ個含まれる拡散板６に光が入射すると、光は真球粒子によって散乱する。散乱光は、拡散板６の中を進み、他の真球粒子によって再度散乱する。ある程度以上の体積濃度で真球粒子を添加した場合には、このような散乱が逐次的に複数回行われた後、光が拡散板６から射出する。このように散乱光がさらに散乱するような現象を多重散乱現象と呼ぶ。このような多重散乱においては、透明ポリマーでの光線追跡法による解析は容易ではない。しかし、モンテカルロ法により光の挙動を追跡し、その特性を解析することはできる。それによると、入射光が無偏光の場合、散乱角の累積分布関数Ｆ（θ）は下記の（６）式で表される。
【数３】
2018072700.tif 000008
【００４５】
ここで（６）式中のＩ（θ）は、（１）式で表されるサイズパラメータＡの真球粒子の散乱強度である。強度Ｉｏの光が拡散板６に入射し、距離ｙを透過した後、光の強度が散乱によりＩに減衰したとすると、これらの関係は下記の（７）式で表される。
【数４】
2018072700.tif 000009
【００４６】
この（７）式中のτは濁度と呼ばれ、媒体の散乱係数に相当するものであり、下記の（８）式のように粒子数Ｎに比例する。なお、（８）式中、σｓは散乱断面積である。
【数５】
2018072700.tif 000010
【００４７】
（７）式から長さＬの拡散板６を散乱せずに透過する確率Ｐｔ（Ｌ）は下記の（９）式で表される。
【数６】
2018072700.tif 000011
【００４８】
反対に光路長Ｌまでに散乱する確率Ｐｓ（Ｌ）は下記の（１０）式で表される。
【数７】
2018072700.tif 000012
【００４９】
これらの式からわかるように、濁度τを変えることにより、拡散板６の中での多重散乱の度合いを制御することができる。以上の関係式により、光散乱粒子のサイズパラメータＡと濁度τとの少なくとも１つをパラメータとして、拡散板６の中での多重散乱が制御可能である。本形態の拡散板６に含有されている光散乱粒子は、たとえば、平均粒径が２．４μｍの透光性のシリコーン粒子であり、光散乱粒子による散乱係数に相当する散乱パラメータである濁度τは、τ＝０．４９（λ＝５５０ｎｍ）である。
【００５０】
拡散板６の光の散乱を上述の光散乱粒子により発生させた場合、拡散板６の輝度分布の均一性を高めることができる。拡散板６の輝度分布の均一性を高めることで、塗装部３の模様の本来のバランスを保たれた表現が可能となる。仮に、輝度斑が大きい場合には、たとえば、互いに明度の同じ部分であっても異なる明度に観察されてしまう。つまり、輝度分布の均一性を高めることで、模様によって表現したい内容を意図通りに忠実に表現できる。
【００５１】
（本発明の実施の形態に係る第１の展示室の構成）
図６は、本発明の実施の形態に係る第１の展示室の中の様子を示す図である。
【００５２】
本発明の実施の形態に係る第１の展示室２１は、観賞物１が展示される第１空間２２を有する。
【００５３】
また第１の展示室２１は、この第１空間２２内を照明する照明装置２３を有する。そしてこの照明装置２３の照明特性が、照明制御装置によって制御される。なおこの照明制御装置の図示は省略する。また、この照明制御装置は、第１の展示室２１内と第１の展示室２１外のどちらに設置されていても良い。
【００５４】
この照明制御装置は、光量および色温度の少なくとも１つを制御するものとする。この照明制御装置を備えることで、観賞物１の塗装部３に合わせて、第１空間２２内の明るさ等を調整することができる。
【００５５】
（本発明の実施の形態に係る第２の展示室の構成）
図７は、本発明の実施の形態に係る第２の展示室の中の様子を示す図である。
【００５６】
本発明の実施の形態に係る第２の展示室３１は、展示室３１の壁面から展示室の外側に向かって突出した第２空間３２を形成し、この第２空間３２内に観賞物１を設置している。そのこと以外は、実施の形態に係る第２の展示室３１の構成は、第１の展示室２１と同様である。
【００５７】
つまり第２の展示室３１は、第１の展示室２１と同様に、観賞物１と第１空間２２と照明装置２３を有している。なお、図６よりも図７の観賞物１の方が小さく見えるが、それは、図７では第２空間３２の紙面から奥側に、すなわち遠くに観賞物１があるためで、図６および図７に示す観賞物１の大きさは変わらない。
【００５８】
そして、第２空間３２全域の明るさは、展示物である観賞物１の塗装部３の明るさよりも暗くしている。第２空間３２は、奥に行くに従い暗くなる場合があるので、その明るさが一様でないことが多い。第２の展示室３１は、第２空間３２の全ての位置を塗装部３の明るさよりも暗くしている。
【００５９】
（本発明の実施の形態によって得られる主な効果）
本発明の実施の形態に係る観賞物１は、光出射面２ａから光を出射する発光装置２を有し、光出射面２ａの側に配置される、光透過性の塗料により形成される塗装部３を有する。そのため観賞物１は、塗装部３に光を透過させることで、塗装部３を、塗装の厚さや、塗装の層内の塗料の明度、彩度あるいは色彩が反映された状態で観察することができる。つまり、観賞物１は、これまでの反射光を観察する場合とは異なる新たな光の芸術性を付与されたものとして観賞することができる。特に、塗装部３に模様が施されている場合には、模様と塗装部３とが相俟ってより光の芸術性の高い観賞物が提供される。
【００６０】
また、観賞物１は、発光装置２の光出射面２ａから出射した光が、塗装部３を透過して出射する。そのため、塗装部３が周囲の光により照らされる明るさよりも、塗装部３から透過する光の明るさの方を明るくすることが可能である。これにより、周囲の明るさの影響を受けにくい状態で塗装部３を明瞭に観ることができる。
【００６１】
また、塗装部３を透過した光を観察できるため、表面からは見えない塗装部３の内部の色層も観察することができる。さらに、観賞物１は、光出射面２ａ側の周縁を覆う枠体４を有する。この枠体４により、塗装部３の外側と塗装部３との間に見切りが形成される。そのため、塗装部３を観賞する際に、模様を引き立たさせることができる。
【００６２】
また、発光装置２を一体の構成とすることによって、枠体４と発光装置２とを簡単に交換することができる。これらを簡単に交換することによって、額縁ともなる枠体４と、発光装置２との組合せの自由度を高くすることができる。
【００６３】
本発明の実施の形態に係る第１の展示室２１は、観賞物１が展示される第１空間２２と、第１空間２２内を照明する照明装置２３とを有し、この照明装置２３の照明特性が、照明制御装置によって制御される。この照明制御装置を備えることで、観賞物１の塗装部３を映えさせるように、第１空間２２内の明るさ等を調整することができる。
【００６４】
本発明の実施の形態に係る第２の展示室３１は、展示室３１の壁面から展示室の外側に向かって突出した第２空間３２を形成し、この第２空間３２内に観賞物１を設置している。そのこと以外は、第２の展示室３１の構成は、第１の展示室２１と同様である。そして、第１空間２２および第２空間３２内全域の明るさは、展示物である観賞物１の塗装部３の明るさよりも暗くしている。この第２の展示室３１は、塗装部３を浮き上がらせるように見せると共に、観者も空間３２に浮遊している錯覚をさせる演出効果をすることができることが期待できる。
【００６５】
（他の形態）
上述した本発明の実施の形態に係る観賞物１、第１の展示室および第２の展示室は、本発明の好適な形態の一例ではあるが、これに限定されるものではなく本発明の要旨を変更しない範囲において種々の変形実施が可能である。
【００６６】
たとえば、塗装部３の表面はマット処理（ツヤ消し処理）が施されている。マット処理を施すことで、外の光が塗装部３に写り込むのを防止できる。しかしながら、外の光の写り込みによって却って面白い効果を得られること等もあるため、マット処理を塗装部３に施さないことができる。
【００６７】
また、上述の塗装部３は、発光装置２の発光面２ａに塗料を直接塗布され形成されている。これに対し、光を透過することができる板体（たとえば、アクリル板、ポリカーボネイト板）に塗料を塗布し、塗装部３を塗装層と板体とを有する構成としてもよい。すなわち、塗装層が形成された（たとえば塗料が塗布された）板体を発光装置２の発光面２ａに重ね合わせてもよい。このように塗装部３を構成した場合には、発光装置２と塗装部３との組合せの自由度を高くすることができる。たとえば、互いに光量や色温度等が異なる複数の発光装置２と、互いに模様等が異なる複数の塗装部３との組合せを換えることができる。発光装置２と塗装部３との組合せを換えることで、観賞物１の光の芸術性が多様になり、光の芸術性を高くすることができる。また、発光装置２が故障した場合、塗装部３を活かし、塗装部３以外の発光装置２を交換することができる。
【００６８】
枠体４は木材からなるが樹脂、セラミック、ガラスまたは金属からなるものであっても良い。また枠体４は、枠内に保持した発光装置２が後方に脱落しないように図示を省略する係合具を備えているが、この係止具に代えて、接着剤または粘着テープ等の固着部材を用いて、発光装置２と枠体４とを固定しても良い。
【００６９】
また、発光装置２は、導光板５と拡散板６と反射シート７と補強板８とケース９をネジ１２を用いて、それらの周縁を互いに固定させ、一体の構成としている。しかしながら、このような一体の構成とする必要はなく、たとえば発光装置２と枠体４とを一体の構成にしてもよい。なお、塗装部３を板体に形成し、発光装置２と別体に構成した場合には、この塗装部３を枠体４と一体の構成にしてもよい。
【００７０】
なお、発光装置２は、ケース９を備えない構成とし、塗装部３、拡散板６、導光板５、反射シート７および補強板８をネジ等により一体の構成としてもよい。また、塗装部３、拡散板６、導光板５、反射シート７および補強板８を枠体４に対して取り付ける構成にしてもよい。
【００７１】
また、拡散板６を用いず、導光板５の前面に塗料を塗布し塗装部３を形成してもよい。また、上述の発光装置２は、導光板５の端面に光源１０を配置し、導光板５の端面から導光板５内に光を入射させる構成であるが、導光板５を用いずに、拡散板６の下方に光源１０を配置し、光源１０の光を拡散板６の下方から直接拡散板６に入射する構成としてもよい。
【００７２】
なお、上述した実施の形態に係る発光装置２は、光源１０を導光板５の端面５ａに対向させ、光源１０の光を導光板５の端面５ａから導光板５内に入射させる構成とされている。この構成とした場合には、光源１０の光を拡散板６の下に配置する構成に比べて、発光装置２の薄型化を図ることができる。
【００７３】
また、発光装置２の剛性をケース９の剛性により確保できる場合は、補強板８を用いる必要は無い。発光装置２が撓むと、光出射面２ａから出射する光に輝度斑が生じ易く、塗装部３の光の芸術性を低下させる（光出射面２ａの輝度斑が塗装部３に現れる）虞がある。そのため、発光装置２の剛性を高くすることで、観賞物１の光の芸術性を高めることができる。なお、その拡散板６は、本発明の実施の形態で図５を参照して詳述した光拡散とは異なる光拡散をするものであっても良い。
【００７４】
また、複数の発光装置２を一つの枠体４で囲うようにしても良い。図８は、本発明の実施の形態に係る第１の変形例の観賞物を示す図である。第１の変形例の観賞物４１は、光出射面２ａが同じ方向を向くように並べられた複数の発光装置４２ａ，４２ｂ，４２ｃを有している。そして、複数の発光装置４２ａ，４２ｂ，４２ｃに跨って配置される塗装部４３を有している。複数の発光装置４２ａ，４２ｂ，４２ｃと塗装部４３は、一つの枠体４４によって囲われて保持されている。Ｃ−Ｃ断面図は、図３と同様に示される。塗装部４３は、複数の発光装置４２ａ，４２ｂ，４２ｃに跨り、発光装置４２ａ，４２ｂ，４２ｃのそれぞれの光出射面２ａを覆う大きさの光透過性を有する板体と、この板体の前面に塗布された塗料とにより構成される。
【００７５】
なお、塗装部４３を構成する板体を拡散板６と同様の拡散板をい用いることで、各発光装置４２ａ，４２ｂ，４２ｃが互いに隣接する部分の隙間に生じる明るさの斑を低減させることができる。
【００７６】
また、枠体４と塗装部３との間に遮光部材が配置されていることとしても良い。図９は、本発明の実施の形態に係る第２の変形例の観賞物を示す図である。観賞物１の枠体４の縁部４ａと塗装部３の周縁との間に遮光部材５０が配置されている。遮光部材５０は、枠体４の縁部４ａと塗装部３との隙間から枠体４の枠内に光が漏れないようにする。仮にそのように光が漏れてしまうと、枠体４の開口部の輪郭がぼけ、塗装部３に光が照射されらときに観賞物１の美観を損なうおそれがある。
【００７７】
また、枠体４の内周縁に艶消し処理をしても良い。これにより、光出射面２ａから出射した光が内周縁で反射することを防止できる。仮に、内周縁で反射すると、観察される塗装部３の美観を損なうおそれがある。
【００７８】
また、枠体４の内周縁を、図１０に示すように、観賞物１の光出射面２ａの側に斜面１００を向ける形状としてもよい。図１０は、本発明の実施の形態に係る第３の変形例の観賞物を示す図である。枠体４の内周縁である斜面１００で反射した光が観者に届き難くなる。
【００７９】
また、発光装置２には個々の光源１０の発光特性（光量と色温度）を基板１１を介して制御する発光制御装置が備えられている。発光制御装置を備えることで、塗装部３の模様の内容や色調、彩度、明度等に応じて発光装置２の発光特性を調整することができる。発光制御装置は、発光装置２に備えられる複数の光源１０の発光特性を、それぞれ異ならせることができる構成としても良い。このような構成とすることで、塗装部３のより細かい箇所の明るさ等を変えることができる。
【００８０】
また、たとえば図８に示すように、複数の発光装置４２ａ，４２ｂ，４２ｃを有する場合には、個別の発光装置４２ａ，４２ｂ，４２ｃの発光特性を個別に制御する発光制御装置を備えることとしても良い。このことによって、塗装部４３の明るさ等を場所ごとに変えることができるため、塗装部４３を場所ごとに明るさ等を変えて表現することができる。たとえば、顔部分の明るさを明るく、背景は暗く等である。なお、図８では、３つの発光装置４２ａ，４２ｂ，４２ｃを示しているが、更に多くの発光装置を並置することで、塗装部４３のより細かい箇所毎に、模様の内容や色調、彩度、明度等に応じて発光装置２の発光特性を調整することができる。たとえば、一つの発光装置を正方形とし、この正方形の発光装置を５個×１０個並置し、個々の発光装置の発光特性を調整する構成としてもよい。
【００８１】
また、光源１０には白色発光をするＬＥＤを用いているが、黄色（電球色）発光をするＬＥＤ等、他の色の発光色のＬＥＤを用いてもよい。もちろん、ＬＥＤに代えて有機ＥＬ等を光源１０に用いても良い。
【００８２】
また、一つの発光装置２に用いる光源１０にたとえば赤、青、緑の複数の発光色のＬＥＤをパッケージ化したものを用い、上述の発光制御装置によって混合色の発光色を発光可能としても良い。また、一つの発光装置２の中で発光色を変えることができる。このような構成は、複数の発光装置４２ａ，４２ｂ，４２ｃを用いた場合でも同様に採用できる。
【００８３】
また、塗装部３は、少なくとも２箇所において塗装の厚さが互いに異なる部分を有していても良い。塗装部３をこのように構成した場合には、塗装部３の厚さが異なる部分を透過する光について、互いに明度、彩度および色彩の少なくとも１つを異ならせることができ、塗装部３の表現を多様なものにすることができる。塗装の厚さの違いは、たとえば、油絵を模様とした場合には、絵具の塗りの厚さを塗装の厚さの違いとすることができる。
【００８４】
また、模様に合わせて拡散板６の表面に凹凸を形成してもよい。たとえば、模様の明るい色彩の部分については、凸部とし、暗い色彩の部分については、凹部とすることができる。たとえば、油絵を模様とした場合には、絵具の塗りの厚さに合わせた凹凸を拡散板６の表面に形成することができる。
【００８５】
本発明の実施の形態に係る第２の展示室３１は、その第２空間３２を人間が立った姿勢で入ることができる大きさとすることとしても良い。そのことにより、突出した第２空間３２内に、観賞物１の塗装部３を浮き上がらせるように見せると共に、観者もその突出した空間に浮遊している錯覚をさせる演出効果が期待できる。
【００８６】
また本発明の実施の形態に係る第２の展示室３１は、第２空間３２内の各側面が同一色であり、突出した空間の隅部は曲面であることとしても良い。このような空間は、空間を形成する壁のつなぎ目が見えないため、観賞物１が壁に固定されていることを観者に意識させず、より塗装部３を浮き上がらせるように見せる効果がある。
【００８７】
また、第２の展示室３１は、第２空間３２を壁面に形成している。しかしながら第２空間３２は壁面、床面、および天井面の少なくとも一面に形成しても良い。ここで、床面に第２空間を形成する場合には、観者が落ちないようにガラス等の透明板をその入口に配置することが望ましい。
【００８８】
また、第２の展示室３１は、第２空間３２全域の明るさを観賞物１の塗装部３の明るさよりも暗くすることとしているが、第２空間３２の明るさは塗装部３の明るさと同じ、または塗装部３よりも明るくしても良い。
【００８９】
また、観賞物１，４１は、枠体４，４４を備えない構成としてもよい。この場合、塗装部３は、発光装置２の発光面２ａに塗料を直接塗布することにより形成できる。また、光を透過することができる板体（たとえば、アクリル板、ポリカーボネイト板）に塗料を塗布し塗装層を形成し、この塗装層が形成された板体を塗装部３として、発光装置２の発光面２ａに接着剤等を用いて固定する構成としてもよい。
【００９０】
また、観賞物１，４１は純粋美術にのみ用いられるものでなくても良い。たとえば建材に観賞物１，４１を用いても良い。たとえば壁板、天井板、床板等の代わりに観賞物１，４１を用いることができる。
【００９１】
観賞物１，４１の展示は屋内に限られない。夜間の屋外等のいわゆる暗闇に観賞物１，４１を展示することとしてもよい。屋外への展示は、照度が１ルクス以下であることが好ましい。一般に、満月の夜の明るさは概ね０．２ルクスである。また、星明かりのみの夜の明るさは概ね０．０２ルクスである。そして、闇夜の明るさは概ね０．００７ルクスである。
【００９２】
また、観賞物１，４１の枠体４，４４は、省略しても良いものとする。また、枠体４，４４を省略しない場合でもその枠体４，４４は、発光装置２，４２ａ，４２ｂ，４２ｃと塗装部３，４３を保持しないものであっても良い。
【符号の説明】
【００９３】
１，４１  観賞物
２，４２ａ，４２ｂ，４２ｃ  発光装置
２ａ  光出射面
３  塗装部
４，４４  枠体
６  拡散板
２１  第１の展示室（展示室）
２２  第１空間
２３  照明装置
３１  第２の展示室（展示室）
３２  第２空間
【図１】
2018072700.tif 000013
【図２】
2018072700.tif 000014
【図３】
2018072700.tif 000015
【図４】
2018072700.tif 000016
【図５】
2018072700.tif 000017
【図６】
2018072700.tif 000018
【図７】
2018072700.tif 000019
【図８】
2018072700.tif 000020
【図９】
2018072700.tif 000021
【図１０】
2018072700.tif 000022